(57)【要約】      （修正有）【課題】快適性を向上させた医療用固定材を提供すること。【解決手段】医療用固定材１０は、水硬化性の芯材１２と、芯材１２の側端部を取り囲む保護材１３と、芯材１２および保護材１３を覆う被覆材１１と、を備える。保護材１３の厚みは、芯材１２の厚み以下であってよい。医療用固定材１０は、端部保護部１３を備えることにより、芯材１２の端面から飛び出るガラス繊維が皮膚に触れないようにすることができる。端部保護部１３は、ガラス繊維の基布と同等以下の厚みに形成することで、医療用固定材１０の厚み方向の凹凸を低減することができ、これにより、患部へ適合させやすくして、フィット性および固定力を向上させることができる。【選択図】図１
2018183419.tif 000002
【特許請求の範囲】
【請求項１】
水硬化性の芯材と、
該芯材の側端部を取り囲む保護材と、
該芯材および該保護材を覆う被覆材と、
を備えた医療用固定材。
【請求項２】
前記保護材の厚みは、前記芯材の厚み以下である請求項１に記載の医療用固定材。
【請求項３】
前記被覆材は、前記芯材および前記保護材の上下面を覆う請求項１または２に記載の医療用固定材。
【請求項４】
前記芯材に対する前記被覆材の厚みの比率が１／２０以上１／４以下である請求項１から３のいずれか一項に記載の医療用固定材。
【請求項５】
前記被覆材が、撥樹脂加工されている請求項１から４のいずれか一項に記載の医療用固定材。
【請求項６】
前記被覆材が、フッ素樹脂により撥樹脂加工されている請求項５に記載の医療用固定材。
【請求項７】
前記被覆材は、外表面層に１または複数の切り込みを有する請求項１から６のいずれか一項に記載の医療用固定材。
【請求項８】
前記切り込みは、前記芯材の側端部と前記被覆材の側端部との間の領域に形成されている請求項７に記載の医療用固定材。
【請求項９】
前記芯材は、水硬化性樹脂を含浸させたガラス基材を含む請求項１から８のいずれか一項に記載の医療用固定材。
【発明の詳細な説明】
【技術分野】
【０００１】
本発明は、医療用固定材に関し、特に、水硬化性の芯材とその芯材を覆う被覆材とを備えた医療用固定材に関する。
【背景技術】
【０００２】
従来、医療分野においては、骨折や捻挫等の治療等を目的として様々な医療用固定材が用いられている。医療用固定材としては、例えば、ガラス繊維、ポリエステル不織布またはポリエステル編織物に水硬化性樹脂を塗布して基材を構成する水硬化型の医療用固定材が用いられてきている。このような、水硬化型の医療用固定材は、水に対する耐性が強く、機械的強度も高いため、有用であることが知られている。
【０００３】
しかしながら、水硬化性合成樹脂を用いる医療用固定材の場合、その合成樹脂が、患者の皮膚に好ましくない圧迫を加え、痛みや傷害をもたらす可能性が考えられる。
【０００４】
そこで、例えば特許文献１には、基布と、基布上に直接に設けたアルミケーシングと、一般的な整形用副子のように基布上に直接設けずにアルミケーシング上に形成した外表面層及び皮膚保護層と、からなる医療用固定材が開示されている。
【０００５】
このような、医療用固定材は、医療用固定材の基布にガラス繊維を採用しているため、厚みが薄く患部の形にしやすいので、ステーの固定力を向上させることができる。また、医療用固定材は、薄型化が達成できると装具の設計自由度を向上させることもできる。
【先行技術文献】
【特許文献】
【０００６】
【特許文献１】特表２０１０−５２０７６９号公報
【発明の概要】
【発明が解決しようとする課題】
【０００７】
しかしながら、ガラス繊維等で基布を形成すると、基布の端面からガラス繊維が飛び出てチクチクしたり、患者の皮膚に刺さったりしてしまうことがある。そこで、ガラス繊維から患者の皮膚を保護するため、端面をクッションで覆う必要があるが、これでは医療用固定材全体が分厚くなり、中央部と端部では厚みが異なるため、でこぼこして患者の固定箇所に不快感が発生するという問題があった。
【０００８】
本発明は、このような状況に鑑みてなされたものであり、快適性を向上させた医療用固定材を提供することを目的とする。
【課題を解決するための手段】
【０００９】
上記課題を解決するため、本発明の一実施形態である医療用固定材は、水硬化性の芯材と、芯材の側端部を取り囲む保護材と、芯材および保護材を覆う被覆材と、を備える。保護材の厚みは、芯材の厚み以下であってよい。
【発明の効果】
【００１０】
本発明によれば、快適性を向上させた医療用固定材を提供することができる。
【図面の簡単な説明】
【００１１】
【図１】本発明の一実施形態に係る医療用固定材を示す模式図である。
【図２】図１の医療用固定材のＡ−Ａ線における拡大断面図である。
【図３】図１の医療用固定材の分解模式図である。
【図４】図１の医療用固定材に注水し、硬化させる手順を示す模式図である。
【図５】人体に図１の医療用固定材を装着する手順を示す模式図である。
【図６】人体に図１の医療用固定材を装着した状態を示す模式図である。
【図７】図１の医療用固定材の各部の厚みを示す拡大図である。
【図８】図１の医療用固定材の各部の厚みを示す表である。
【図９】本発明の実施例と比較例との対比を示す表である。
【発明を実施するための形態】
【００１２】
以下、本発明を実施するための好適な実施形態について図面を参照して説明する。なお、以下に説明する実施形態は、本発明の代表的な実施形態の一例を示したものであり、これにより本発明の範囲が狭く解釈されることはない。また、本発明は、下記の各実施例及びその変形例のいずれかを互いに組み合わせることもできる。
【００１３】
（１．医療用固定材の構成例）
図１は、本発明の一実施形態に係る医療用固定材（水硬化性ステー）１０を示す模式図である。図２は、医療用固定材１０の図１のＡ−Ａ線における拡大断面図である。図３は、医療用固定材１０の分解模式図である。図１から図３を用いて、医療用固定材１０の構成について説明する。
【００１４】
本実施形態に係る医療用固定材１０は、上下２つの被覆部１１と、水硬化性の芯材１２と、芯材１２の周囲の端部を保護する保護材である端部保護部１３と、を備えている。被覆部１１は、芯材１２および端部保護部１３を上下から挟み込んでいる。芯材１２は、一例として略矩形に形成され、その端部周辺が端部保護部１３で保護されている。端部保護部１３は、芯材１２の各辺端部に接合部１４で接合され、一例として略矩形に形成されている。接合部１４は、上側および下側の被覆部１１と、芯材１２および端部保護部１３と、を接着している。さらに、下側の被覆部１１の外表面層には、水分を医療用固定材１０の内部に注水し、または、医療用固定材１０の内部から排水するための１または複数の切り込み１５が形成されている。以下に、各部について詳細に説明する。
【００１５】
（２．被覆部）
被覆部１１は、芯材１２の上下面を覆う部材である。被覆部１１の素材は、例えば、フッ素樹脂による撥水（撥樹脂）加工されたポリエステル、ポリオレフィンの不織布やフィルム等を用いることができる。これにより、被覆部１１は、ウレタン樹脂等の水硬化性樹脂が外部に染み出すのを防止するなど、撥樹脂が可能となる。さらに、被覆部１１は、医療用固定材１０を人体に装着する際にクッションの役割を果たすこともできる。
【００１６】
ここで、フッ素系の樹脂は、例えば、パーフルオロアルキル基および水酸基を有する化合物とアクリル酸、メタクリル酸等をエステル化反応させて作ったアクリル酸誘導体（パーフルオロモノマー）を主成分とする共重合体で、共重合体成分としてはアルキル（メタ）アクリレート、塩化ビニルなどのモノマー、２−ヒドロキシエチルメタアクリレート、Ｎ―メチルアクリルアミドなどの架橋性モノマーを使用したフッ素系処理剤で撥油処理を行うことができる。
【００１７】
ここで、不織布について、芯材１２の樹脂硬化後にチクチクが発生する基布と、チクチクが発生しない基布との端面の繊維束を測定したところ、チクチクが発生する基布の繊維束の太さは３５０μｍ以上であった。一方、チクチクが発生しない基布の繊維束の太さは１５０μｍ以下であった。この結果から、繊維束の太さが２５０μｍ付近以上で芯材１２の樹脂硬化後にチクチクが発生することが考えられる。
【００１８】
なお、医療用固定材１０は、被覆部１１と芯材１２との間に緩衝材を設けていない。これにより、医療用固定材１０は、従来品に比べて薄型化を実現可能にしている。
【００１９】
（３．芯材）
芯材１２は、一例として、シート状であり、医療用固定材（ステー）１０の強度を出す部分である。特に、芯材１２の厚みおよび材質によって医療用固定材１０の強度を出している。芯材１２の素材は、例えば、プラスチック線維、ガラス繊維等の基布（基材）およびウレタン樹脂を用いることができる。これにより、ガラス繊維等の基布およびウレタン樹脂は共に安価であるため、医療用固定材１０を低コストで製造することが可能となる。なお、基布は、強度を出すための部材であり、ウレタン樹脂は水硬化させるための部材である。
【００２０】
医療用固定材１０は、芯材１２の基布にガラス繊維を採用しているため、被覆材１１および芯材１２の厚みを薄くして患部の形にしやすくすることができるので、ステーの固定力を向上させることができる。また、医療用固定材は、薄型化が達成できると装具の設計自由度を向上させることもできる。
【００２１】
しかしながら、図２に示すように、芯材１２の基布に、例えば、ガラス繊維２１を用いると、芯材１２の端部からガラス繊維２１が飛び出て装着時に皮膚がチクチクしたり、皮膚に刺さったりしてしまうおそれがある。そこで、芯材１２の端面を保護する必要があるが、被覆材１１の端部を伸ばして芯材１２の端面を保護しようとすると、医療用固定材１０全体が分厚くなり、さらに、厚さが不均一となりでこぼこしてしまう。
【００２２】
また、芯材１２の材料は、織布、編布、不織布等を使用することができ、これらを単独又は任意に選択組合せて形成してもよい。さらに、芯材１２には、天然繊維、化学繊維等の繊維を使用することができ、この繊維には、例えば、綿、毛、レーヨン、ポリアミド繊維、ポリエステル繊維、アクリル繊維、ポリオレフィン繊維、ガラス繊維、カーボン繊維、その他の繊維がある。
【００２３】
（４．端部保護部）
端部保護部１３は、芯材１２内のガラス繊維の基布端面を保護する部材である。端部保護部１３の素材は、目の荒い網目構造であり、例えば、ポリエステル不織布を用いることができる。医療用固定材１０は、端部保護部１３を備えることにより、芯材１２の端面から飛び出るガラス繊維２１が皮膚に触れないようにすることができる。
【００２４】
端部保護部１３は、ガラス繊維の基布と同等以下の厚みに形成することで、医療用固定材１０の厚み方向の凹凸を低減することができ、これにより、患部へ適合させやすくして、フィット性および固定力を向上させることができる。
【００２５】
（５．接合部）
接合部１４は、被覆部１１、芯材１２および端部保護部１３をそれぞれ接着するための部材である。接合部１４の素材は、例えば、両面テープまたは粘着剤を用いることができる。
【００２６】
（６．被覆部の切り込み）
下側の被覆部１１の切り込み１５は、芯材１２を硬化させる水の注水および排水の役割を担う部分である。切り込み１５は、芯材１２の側端部と被覆材１１の側端部との間の領域である、被覆部１１の外表面層の被覆材１１同士が接している部分に形成されている。被覆部１１と芯材１２とが接触する部分に切り込みがあると樹脂が漏れてしまうからである。また、切り込み１５を上記の部分に設けることで、樹脂漏れが無く、かつ硬化反応を起こした後の水分を抜けやすくすることができる。
【００２７】
医療用固定材１０は、被覆部１１が撥水（撥樹脂）加工されているため、内部の水分が外部に排出されにくい。また、医療用固定材１０の内部に水分が残っていると患部が浸軟してしまう（ふやけてしまう）。そこで、被覆部１１の外表面層の被覆材１１同士が接している部分に切り込み１５を形成することにより、医療用固定材１０の内部に入った水分を切り込み１５から外部へ排水することができる。なお、端部保護部１３のポリエステル不織布は撥水性でないため、端部保護部１３から排水することもできる。また、芯材１２を硬化させるための注水および排水の役割を担う部分は、切り込み１５に限らず、穴の形状等であってもよい。
【００２８】
（７．水硬化の手順の一例）
図４は、医療用固定材１０に注水し、硬化させる手順を示す模式図である。図４を用いて、医療用固定材１０を硬化させる手順について説明する。
【００２９】
図４Ａは、上側の被覆部１１を取り除き、切り込みを入れた下側の被覆部１１を示す図である。下側の被覆部１１には、一例として、長手方向側端部付近の芯材１２および端部保護部１３と接着されていない位置に、切り込み１５および切り込み４５が形成されている。図４Ｂは、注水の一例として、切り込み１５から芯材１２に注水し、注水した水を切り込み４５から排水する様子を示す図である。図４Ｃは、注水後に余分な水分を排水して芯材１２を硬化させる様子を示す図である。
【００３０】
まず、医療用固定材１０の被覆部１１に切り込み１５および切り込み４５が形成されていることを確認する。次に、図４Ｂに示すように、例えば、切り込み１５から水分を被覆部１１の内部に注水する。必要な分量以上に注水された余分な水分は、例えば、切り込み４５から被覆部１１の外部に排水される。そして、芯材１２が水分に十分浸されたら、医療用固定材１０をしぼって、切り込み１５および切り込み４５や被覆部１１の端部から内部の水分を排水し、固定したい形状を維持してしばらく放置する。芯材１２は、一例として、約１０分程度で硬化してくるが、完全に硬化するまでには約２４時間程度必要となる。
【００３１】
（８．医療用固定材の装着例）
図５は、人体に医療用固定材１０を装着する手順を示す模式図である。図６は、人体に医療用固定材１０を装着した状態を示す模式図である。図５および図６を用いて、人体に医療用固定材１０を装着する手順について説明する。本実施形態では、一例として、医療用固定材１０を人体の手首周辺に装着する手順について説明する。
【００３２】
まず、上述のように、医療用固定材１０に水分を含浸させる。次に、図５に示すように、水分を含浸させた医療用固定材１０を、例えば、人体の右手手のひら側から右手首５１に装着する。このとき、医療用固定材１０が右手首５１付近の患部を的確に固定するように、医療用固定材１０の形状を整えておく。なお、医療用固定材１０の親指に接触する部分は、掌の形状に合わせて略半円状に切り取っておくと、より右手首５１にフィットさせることができる。そして、図６に示すように、例えば、弾性を有する包帯６１またはサポーター等の関節用装具等で医療用固定材１０を右手首５１に固定する。このように、医療用固定材１０は、柔軟な素材である被覆材１１を患部にあて、患部にフィットした状態でステー等の芯材１２を硬化させて成型している。
【００３３】
上記構成および動作により、本実施形態の医療用固定材１０は、芯材１２の周囲の端部を端部保護部１３で保護することにより、強度を保ちつつ薄型化し、かつ、快適性も向上させることができる。
【００３４】
（９．実施例と実験方法）
次に、図７および図８を用いて、本実施形態の医療用固定材１０の一実施例および実験方法について説明する。図７は、医療用固定材１０の各部の厚みを示す拡大図である。図８は、医療用固定材１０の各部の厚みを示す表である。
【００３５】
図７および図８に示すように、キャスト芯材１２の厚み(1)は、２．０ｍｍ〜１０．０ｍｍが好ましく、４．０ｍｍ〜６．０ｍｍがより好ましい。
【００３６】
また、被覆材の厚みは、従来２．５ｍｍ〜３．０ｍｍほどであったが、医療用固定材１０の薄型化のため、被覆材１１の厚み(2)は、０．１ｍｍ〜２．５ｍｍが好ましく、０．３ｍｍ〜１．５ｍｍがより好ましい。なお、これらの厚みは、Peacock J-Bφ30mmにて計測した結果、ソンタラ０．４５ｍｍ、ＡＳＰ03290２．５ｍｍより設定している。
【００３７】
また、外縁部の端部保護部１３の幅(3)は、２．０ｍｍ〜８．０ｍｍが好ましく、４．０ｍｍ〜６．０ｍｍがより好ましい。なお、保護材である端部保護部１３の厚みは、芯材１２の厚み以下であるのが好ましい。
【００３８】
次に、本実施例および比較例の実験方法について説明する。
【００３９】
強度測定については、オートグラフにて３点曲げ試験（押し込み試験）を行い、破断するまでの最大圧力が30N/inchの圧力以上であること（島津製作所製“オートグラフ（登録商標）”ＡＧ−２０ＫＮＩ、１ｋＮロードセルを使用）を確認し、30N/inchで折れないことで関節を押さえるのに足る強度を持っていることを確認している。
【００４０】
固定力については、実施例および比較例の各ステーを手関節に固定し、制動角度（手関節を曲げたとき、ステーにより手が抵抗を感じるまでの角度）を測定した結果、５度以上下がらないことを確認している。比較例では制動角度が５度以上下がっており、フィット感が悪く感じられるという結果が出ている。
【００４１】
樹脂漏れについては、ステーに熱をかけて被覆材１１の表面に樹脂漏れが起きないことを確認している。
【００４２】
さらに、本発明者らは、本実施形態に係る医療用固定材１０を用いた手部被覆装具を製作し、着用評価を行った。被験者数名に、本実施形態に係る手部被覆装具を着用してもらい、評価を求めた。その結果、「指が動かしやすい」、「ジャマにならない」、「手にフィットする」という回答が得られた。これにより、本実施形態に係る手部被覆装具は、簡便に装着でき、装着を継続できる快適性を有することが確認できた。
【００４３】
（１０．実施例と比較例との比較）
図９は、本発明の実施例と比較例との対比を示す表である。図９を用いて、本発明の実施例と比較例との対比について説明する。
【００４４】
図９に示すように、医療用固定材の「芯材の層数（厚み）」、「外縁部の端部保護部の幅」および「被覆材の厚み」を変化させて、実施例(1)から(4)と比較例(1)から(4)との装着時の快適性を比較した。なお、図９中のすべての実施例および比較例(1)から(3)において、被覆材に撥水（撥樹脂）処理が施されている。比較例(4)は被覆材に撥水（撥樹脂）処理が施されていない。図９中の快適性の欄は、「○」が快適であることを示し、「×」が快適ではないことを示している。
【００４５】
ここで、図９の右端の欄の「比」とは、芯材の厚みに対する被覆材の厚みの比率、すなわち、（被覆材の厚み）／（芯材の厚み）の値を表している。
【００４６】
図９に示す結果より、比較例(1)のように、芯材の厚みが薄い場合（１ｍｍ）は、医療用固定材を装着した時に固定力が不足するため快適さを得ることができない。また、比較例(2)のように、端部保護部の幅が長い場合（１０ｍｍ）は、医療用固定材を装着した時に患部にフィットした状態で固定に関係ない不織布が多くなるため快適さを得ることができない。また、比較例(3)のように、被覆材の厚みが厚い場合（６ｍｍ）は、医療用固定材が患部の形にフィットしにくくなるため装着した時に快適さを得ることができない。また、比較例(4)のように、被覆材に撥水（撥樹脂）処理が施されていない場合は、医療用固定材を装着した時に被覆材より芯材の樹脂が漏れるため快適さを得ることができない。
【００４７】
これに対し、図９に示す結果より、実施例(1)から(4)のように、芯材の厚みが２ｍｍ〜６ｍｍで、端部保護部の幅が２ｍｍ〜５ｍｍで、被覆材の厚みが０．４５ｍｍ〜１．５ｍｍの範囲の場合は、医療用固定材を快適に装着できることがわかった。
【００４８】
また、図９に示す結果より、芯材の厚みに対する被覆材の厚みの比率については、１／２０以上１／４以下の場合に、医療用固定材を快適に装着できることがわかった。芯材の厚みに対する被覆材の厚みの比率が１／４より大きい場合、ステーの強度不足が発生するため医療用固定材を装着した時に固定力が不足して固定が困難となるためである。また、全体の厚みが厚くなって医療用固定材が患部の形にフィットしにくくなるので、快適に装着する事が困難になるためである。芯材の厚みに対する被覆材の厚みの比率が１／２０より小さい場合、芯材が厚くなるため医療用固定材を装着した時に患部の形にしにくくなり医療用固定材を装着した時に快適さを得ることができなくなるためである。また、被覆材が薄くなって被覆材が破れ易くなり、破れることで樹脂が漏れやすくなるため、快適さを得ること困難になるためである。
【００４９】
本発明に係る医療用固定材は、硬化性樹脂を基布（基材）に含浸させ、クッション等の被覆材で挟んだステー等の芯材を備えるものであればよく、骨折箇所等を固定するために用いることができる。
【符号の説明】
【００５０】
１０  医療用固定材（水硬化性ステー）
１１  被覆部
１２  芯材
１３  端部保護部
１４  接合部
１５、４５  切り込み
２１  ガラス繊維
５１  手首
６１  包帯（キャスト材）
【図１】
2018183419.tif 000003
【図２】
2018183419.tif 000004
【図３】
2018183419.tif 000005
【図４】
2018183419.tif 000006
【図５】
2018183419.tif 000007
【図６】
2018183419.tif 000008
【図７】
2018183419.tif 000009
【図８】
2018183419.tif 000010
【図９】
2018183419.tif 000011